(57)【特許請求の範囲】
【請求項１】
複数の表示画面を同時に表示することができる表示手段を備えた情報処理装置における前記表示画面の表示を制御する表示制御装置であって、
前記表示手段における一部の領域に表示され、一の機能の情報処理において参照される複数の表示画面の中から、任意の表示画面を選択する際に動作する表示メニューを含む基本画面を表示する基本画面表示手段と、
前記基本画面が表示された状態で前記表示メニューを動作させ、メニュー項目の中から任意の項目を選択させる表示画面選択手段と、
その表示画面選択手段により選択されたメニュー項目に対応する表示画面を前記表示手段に表示する選択画面表示手段と、を備え、
前記選択画面表示手段により表示されている前記表示画面を一括して消去し、前記基本画面表示手段による前記基本画面のみが表示され、他の情報処理のために表示領域が確保される状態に移行する場合に選択される消去項目を前記表示メニューに備えたことを特徴とする表示制御装置。
【請求項２】
請求項１に記載の表示制御装置において、
前記一の機能は、ファクシミリ機能であり、前記情報処理は、外部に対して情報を送信する情報処理であると共に、前記メニュー項目には、外部に対する前記情報の送信状態を示す表示画面を表示させるための項目を含むことを特徴とする表示制御装置。
【請求項３】
請求項１に記載の表示制御装置において、
前記一の機能は、ファクシミリ機能であり、前記情報処理は、外部から送信されてくる情報を受信する情報処理であると共に、前記メニュー項目には、外部からの前記情報の受信状態を示す表示画面を表示させるための項目を含むことを特徴とする表示制御装置。
【請求項４】
請求項１乃至３のいずれかに記載の表示制御装置において、
前記メニュー項目には、受信したファクシミリ情報の数を含むファクシミリ機能についてのカウンタ画面を前記表示画面として表示させるための項目を含むと共に、そのカウンタ画面の表示内容を異ならせることにより、表示画面の大きさを小さくした別のカウンタ画面を前記表示画面として表示させるための項目を含むことを特徴とする表示制御装置。
【請求項５】
請求項１乃至４のいずれかに記載の表示制御装置において、
前記表示画面選択手段により、前記表示メニューにおけるメニュー項目から同時に２つのメニュー項目が選択された場合、前記選択画面表示手段は、２つのメニュー項目に対応する表示画面を並べて表示することを特徴とする表示制御装置。
【発明の詳細な説明】
【０００１】
【発明の属する技術分野】
本発明は、複数の情報処理に対応する表示画面を同時並行的に表示しつつ当該複数の情報処理を実行する情報処理装置における夫々の表示画面についての表示制御を行う表示制御装置の技術分野に属する。
【０００２】
【従来の技術】
従来、ファクシミリ機能及びプリント機能やスキャナ機能等の複数の機能を発揮する情報処理部を一の筐体内に備えた、いわゆる多機能周辺装置を当該多機能周辺装置に接続されたコンピュータから制御して、当該プリント機能やスキャナ機能又はファクシミリ機能を発揮させるように構成された情報処理装置が一般化しつつある。
【０００３】
更に、近年、このような情報処理装置において、上記多機能周辺装置を制御しつつコンピュータ上において例えば文書作成等の情報処理を並行的に行うようにする技術が、いわゆるマルチタスク処理の可能なＯＳ（オペレーティングシステム）により実現されている。ここで、多機能周辺装置を制御しつつコンピュータ上で他の情報処理を実行する場合、多機能周辺装置を制御するための表示画面と当該他の情報処理を実行するための表示画面とを同時にディスプレイ等に表示させることが必要となる。
【０００４】
【発明が解決しようとする課題】
しかしながら、上記従来の上記情報処理装置においては、コンピュータのディスプレイ上における表示のための表示領域の広さは限定されているため、上記多機能周辺装置を制御するための表示画面を表示すると、他の情報処理を実行するための表示画面が十分に表示できず、当該他の情報処理における表示可能な内容が不足する等、他の情報処理に支障を来す場合があるという問題点があった。
【０００５】
そこで、従来の上記コンピュータにおいては、多機能周辺装置を制御するために必要な表示画面を、いわゆるアイコン化して小型化し、他の情報処理に必要な表示領域を確保するという方法が用いられていたが、この方法によると、アイコン化した表示画面については、情報処理状態の変化を逐次表示することができないという問題点がある。
【０００６】
そこで、本発明は、上記の問題点に鑑みて成されたもので、その課題は、多機能周辺装置を制御しつつコンピュータ上で他の情報処理を実行する場合に、多機能周辺装置の制御のための表示画面について必要な情報内容を表示しつつ、且つ、当該他の情報処理についても必要な表示画面の表示領域を確保することが可能な表示制御装置を提供することにある。
【０００７】
【課題を解決するための手段】
上記の課題を解決するために、請求項１に記載の発明は、複数の表示画面を同時に表示することができる表示手段を備えた情報処理装置における前記表示画面の表示を制御する表示制御装置であって、前記表示手段における一部の領域に表示され、一の機能の情報処理において参照される複数の表示画面の中から、任意の表示画面を選択する際に動作する表示メニューを含む基本画面を表示する基本画面表示手段と、前記基本画面が表示された状態で前記表示メニューを動作させ、メニュー項目の中から任意の項目を選択させる表示画面選択手段と、その表示画面選択手段により選択されたメニュー項目に対応する表示画面を前記表示手段に表示する選択画面表示手段と、を備え、前記選択画面表示手段により表示されている前記表示画面を一括して消去し、前記基本画面表示手段による前記基本画面のみが表示され、他の情報処理のために表示領域が確保される状態に移行する場合に選択される消去項目を前記表示メニューに備えたことを特徴とするものである。
【０００８】
請求項１に記載の発明の作用によれば、前記表示メニューから消去項目が選択されると、表示手段に表示されている表示画面を消去し、基本画面のみが表示された状態に移行する。
【０００９】
【００１０】
よって、表示メニューから項目が選択され、選択画面表示手段により表示されている表示画面を一括して消去することができるので、他の情報処理に対応する表示画面をより広い表示領域に表示させつつ当該他の情報処理を実行できる。
【００１１】
上記の課題を解決するために、請求項２に記載の発明は、請求項１に記載の表示制御装置において、前記一の機能は、ファクシミリ機能であり、前記情報処理は、外部に対して情報を送信する情報処理であると共に、前記メニュー項目には、外部に対する前記情報の送信状態を示す表示画面を表示させるための項目を含むことを特徴とするものである。
【００１２】
請求項２に記載の発明の作用によれば、請求項１に記載の発明の作用に加えて、一の機能は、ファクシミリ機能であり、情報処理は、外部に対して情報を送信する情報処理であると共に、メニュー項目には、外部に対する情報の送信状態を示す表示画面を表示させるための項目を含むので、情報の送信状態を表示する表示画面が不要のときはこれを消去し、情報を送信する情報処理以外の情報処理について対応する表示画面をより広い表示領域に表示させつつ当該他の情報処理を実行できる。
【００１３】
上記の課題を解決するために、請求項３に記載の発明は、請求項１に記載の表示制御装置において、前記一の機能は、ファクシミリ機能であり、前記情報処理は、外部から送信されてくる情報を受信する情報処理であると共に、前記メニュー項目には、外部からの前記情報の受信状態を示す表示画面を表示させるための項目を含むことを特徴とするものである。
【００１４】
請求項３に記載の発明の作用によれば、請求項１に記載の発明の作用に加えて、一の機能は、ファクシミリ機能であり、情報処理は、外部から送信されてくる情報を受信する情報処理であると共に、メニュー項目には、外部からの情報の受信状態を示す表示画面を表示させるための項目を含むので情報の受信状態を表示する表示画面が不要のときはこれを消去し、情報を受信する情報処理以外の情報処理について対応する表示画面をより広い表示領域に表示させつつ当該他の情報処理を実行できる。
上記の課題を解決するために、請求項４に記載の発明は、請求項１乃至３のいずれかに記載の表示制御装置において、前記メニュー項目には、受信したファクシミリ情報の数を含むファクシミリ機能についてのカウンタ画面を前記表示画面として表示させるための項目を含むと共に、そのカウンタ画面の表示内容を異ならせることにより、表示画面の大きさを小さくした別のカウンタ画面を前記表示画面として表示させるための項目を含むことを特徴とするものである。
また、上記課題を解決するために、請求項５に記載の発明は、請求項１乃至４のいずれかに記載の表示制御装置において、前記表示画面選択手段により、前記表示メニューにおけるメニュー項目から同時に２つのメニュー項目が選択された場合、前記選択画面表示手段は、２つのメニュー項目に対応する表示画面を並べて表示することを特徴とするものである。
【００１５】
【発明の実施の形態】
次に、本発明に好適な実施の形態について、図面を用いて説明する。なお、以下に説明する実施形態は、記録すべき情報を所定の記録用紙に記録するプリンタ機能、画像等の情報を読み取るスキャナ機能、スキャナ機能を用いて読み取った情報等を記録するコピー機能、スキャナ機能を用いて読み取った情報等を電話回線を介して外部に対し送受信するファクシミリ機能並びに電話を掛けてきた通話者のメッセージを自動的に録音するいわゆる留守番電話機能等を備えた多機能周辺装置にパーソナルコンピュータ（以下、パソコンという。）等のコンピュータを接続し、当該パソコンから多機能周辺装置を制御して情報記録、情報読取、外部との情報の送受信又は留守番電話機能動作等の情報処理を行う情報処理装置に対して本発明を適用した場合の実施形態である。
【００１６】
なお、上記ファクシミリ機能には、電話回線を介して送信されてきた送信情報を記録用紙上に記録する本来のファクシミリ機能の他に、当該送信情報を一時的に記録して必要に応じて外部の他のファクシミリ装置に送信する（すなわち、送信情報を転送する）転送機能をも含まれている。
（Ｉ）情報処理装置の全体構成
始めに、上記本発明が適用される情報処理装置の全体構成及びその外観について、図１を用いて説明する。
【００１７】
上述のように、実施形態に係る情報処理装置Ｓは、ファクシミリ機能、プリンタ機能、コピー機能、スキャナ機能及び留守番電話機能の夫々を備えた多機能周辺装置１と、当該多機能周辺装置１に接続されたパソコン３０とにより構成されている。
【００１８】
この構成において、図１に示すように、多機能周辺装置１の本体６の側部には後述の受話器１８が備えられ、更に当該本体６の上面前部には操作パネル２が設けられている。また、本体６の後面上部には、上記記録用紙を保持する記録用紙カセット５を着脱自在に装着するためのカセット装着部３が形成され、上面中央にはスキャナ機能を用いて読み取るべき原稿を保持する原稿台４が形成されている。更に、多機能周辺装置１は、電話回線２４を介して外部と接続されており、当該電話回線２４を用いて上記ファクシミリ機能又は留守番電話機能を動作させることが可能となっている。
【００１９】
一方、上記構成を有する多機能周辺装置１を制御するパソコン３０は、通常のコンピュータとして構成されており、図１に示すように、情報を入力するためのキーボード３１と、後述のアイコン又はボタン等をクリック処理する（選択実行する）ためのマウス３２と、後述の表示制御プログラムを含む各種制御プログラムを記録した記録媒体としてのフレキシブルディスク４１から当該制御プログラムを読み出すためのフレキシブルディスクドライブ装置３３Ａと、後述の設定画面等を含む画面を表示するための液晶表示器等からなるディスプレイ３４とにより構成されており、接続ケーブル１７により多機能周辺装置１と接続されている。
【００２０】
ここで、上記アイコンとは、後述の夫々の処理に対応するアプリケーションプログラムを図柄化してディスプレイ３４上に表示したものであり、所望のアプリケーションプログラムを選択実行する際に、当該プログラムを示すアイコンをマウス３２等を用いてクリック処理することにより選択して実行させるためのものである。
【００２１】
また、上記ボタンとは、所定のアプリケーションプログラムを実行する際の機能設定等において、夫々の機能設定処理（「確定」又は「取消」等）等を図柄化してディスプレイ３４上に表示するもので、所望の機能設定処理等に対応するボタンをマウス３２等を用いてクリック処理することにより当該機能設定処理等を実行させるためのものであり、通常は、ボタン自体がアイコン化されている。
（II）多機能周辺装置の構成及び動作
次に、上記多機能周辺装置１の内部構成及び動作について、図２を用いて説明する。
【００２２】
図２に示すように、多機能周辺装置１は、ＣＰＵ１０と、ＲＯＭ（Read  Only  Memory）１１と、ＥＥＰＲＯＭ（Electrically  Erasable  and ProgrammableROM）１２と、ＲＡＭ（Random  Access  Memory）１３と、スキャナ部１４と、プリンタ部１５と、インターフェース部１６と、上記受話器１８と、ＮＣＵ（Network Control  Unit）１９と、ボイス機能付のモデム部２０と、上記操作パネル２と、アンプ２１と、スピーカ２２と、バス２３とにより構成されている。
【００２３】
次に、多機能周辺装置１の上記各部の動作を説明する。
【００２４】
ＮＣＵ１９は、電話回線２４を介して入力されるファクシミリ情報をモデム部２０に出力すると共に、電話回線２４を介して入力される音声情報を受話器１８あるいはモデム部２０に出力する。なお、情報処理装置Ｓにおいてパソコン３０からの処理により留守番電話機能を発揮させるときには、上記電話回線２４を介して入力される音声情報は、ボイス機能付のモデム部２０によってディジタル信号に変換されたのち、インターフェース部１６を介してパソコン３０にも出力される。
【００２５】
これらと並行してＮＣＵ１９は、モデム部２０から出力されるファクシミリ送信すべき情報を上記電話回線２４に送出すると共に、受話器１８により発生された音声情報を電話回線２４に送出する。ここで、パソコン３０からの処理により留守番電話機能を発揮させるときには、これに加えて、パソコン３０から送信されてきた音声情報（ディジタル信号）がボイス機能付のモデム部２０によってアナログ信号に復元されたのち、ＮＣＵ１９を介して電話回線２４に送出されることとなる。
【００２６】
次に、モデム部２０は、いわゆる変復調動作を行うものであり、より具体的には、ＮＣＵ１９から入力されたファクシミリ情報に対して復調動作を行い、当該ファクシミリ情報に対応するディジタル信号をバス２３に出力するとともに、バス２３からのファクシミリ情報を変調してＮＣＵ１９に出力する。
【００２７】
また、モデム部２０は、いわゆるボイス機能を有するものであって、より具体的には、ＮＣＵ１９から入力された音声情報（アナログ信号）をディジタル信号に変換してバス２３に出力するとともに、バス２３を介して入力した音声情報（ディジタル信号）をアナログ信号に復元してＮＣＵ１９に出力する。
【００２８】
スキャナ部１４は、ＣＰＵ１０の制御の下、多機能周辺装置１がファクシミリ装置として機能する場合のファクシミリ送信すべき画像等の情報を読み取ってバス２３に出力すると共に、多機能周辺装置１がコピー装置として機能する場合の当該コピーすべき画像等の情報を読み取ってバス２３に出力する。
【００２９】
プリンタ部１５は、ＣＰＵ１０の制御の下、多機能周辺装置１がファクシミリ装置として機能する場合にＮＣＵ１９及びモデム部２０を介して入力された受信したファクシミリ情報を、ＲＡＭ１３に一時的に記憶した後又は直接所定の記録用紙に記録して出力する。この他に、プリンタ部１５は、多機能周辺装置１がコピー装置として機能する場合の当該コピーすべき画像等の情報をバス２３から受け取って上記記録用紙に記録すると共に、多機能周辺装置１がプリンタ装置として機能する場合のパソコン３０から入力された情報をバス２３から受け取って記録用紙に記録する。
【００３０】
操作パネル２は、多機能周辺装置１に対しての指示を与えたり、所定の状態を設定するための指示操作又は状態を表示する。なお、操作パネル２はアルファベットの大文字に対応するキーと数字に対応するキーのみにより構成されており、当該操作パネル２から入力処理可能な情報は、アルファベットの大文字及び数字のみで構成されている情報のみである。
【００３１】
次に、ＲＯＭ１１は、主としてＣＰＵ１０において実行されるファクシミリ機能、スキャナ機能、プリンタ機能又はコピー機能等を実現するための制御プログラムを記憶しておくための読み出し専用のメモリであり、ＣＰＵ１０の制御の下、必要なデータ等をバス２３を介して出力する。
【００３２】
ＥＥＰＲＯＭ１２は、多機能周辺装置１の電源を断とした場合でも消失してはならない情報、例えば、多機能周辺装置１がファクシミリ装置として機能する場合に頻繁にファクシミリ送信する相手先の電話番号や、いわゆる短縮ダイアルのための電話番号等を記憶しておくための不揮発性のメモリである。
【００３３】
ＲＡＭ１３は、ＣＰＵ１０の制御の下、必要なデータを一時的に記憶する等の動作を行うための読み書き可能なメモリであり、具体的には、ファクシミリ情報として電話回線２４及びＮＣＵ１９等を介して入力されたデータ、電話回線２４を介して外部に送出すべきファクシミリ情報又はスキャナ部１４において読み取られた情報等を一時的に記憶し、ＣＰＵ１０の制御により所定のタイミングで読み出す。なお、ＲＡＭ１３は、電源断のときでも記憶内容が消失しないように電源バックアップ可能とされている。
【００３４】
インターフェース部１６は、接続ケーブル１７を介して接続されているパソコン３０から送信されてくる音声情報等のデータ等を多機能周辺装置１に取り込むと共に、多機能周辺装置１からパソコン３０に出力すべき情報を当該出力用に変換するためのインターフェース動作を行う。
【００３５】
アンプ２１は、ＣＰＵ１０の制御の下、スピーカ２２から出力すべき呼出音又はガイダンス音声等の音声情報を増幅して当該スピーカ２２に出力する。
【００３６】
最後に、ＣＰＵ１０は、バス２３を介して、ＲＯＭ１１に記録されている制御プログラムに基づいて上述の各構成部材の動作を制御する。更に、当該ＣＰＵ１０は、後述の要求信号Ｓq がパソコン３０から送信されてくると、それに対応して多機能周辺装置１における上記スキャナ部１４等の機能設定を行うために必要な設定項目等を返信すると共に、必要に応じて当該設定項目等における設定現況（現在の設定内容）をパソコン３０に返信する。
【００３７】
更に上記の構成において、留守番電話機能を実行するときには、外部の通話者から掛かってきた電話に対応するための予め入力されたいわゆる応答メッセージ並びに当該通話者の音声（メッセージ）は上記ＲＡＭ１３に記憶される。更にこれらの留守番電話機能は多機能周辺装置１単体で実行される場合及びパソコン３と協働して実行される場合のいずれにおいても、ＣＰＵ１０により統轄して制御される。
【００３８】
一方、上記の構成において、上記転送機能のための送信情報も上記ＲＡＭ１３に格納される。
（III）パソコンの構成及び全体動作
次に、上記パソコン３０の構成及び概略動作について、図３を用いて説明する。
【００３９】
図３に示すように、実施形態のパソコン３０は、ＣＰＵ３６と、ＲＯＭ３９と、ＲＡＭ３７と、上記キーボード３１及びマウス３２を含む入力部と、画像処理部３５と、上記ディスプレイ３４と、インターフェース部３８と、バス４０と、外部記憶部３３により構成されている。
【００４０】
この構成において、ＣＰＵ３６は、後述のフローチャートで示される本発明の通信処理等を主として行う。
【００４１】
また、ＲＯＭ３９には、上記パソコン３０の各構成要素を制御するための制御プログラムが予め記憶されており、ＣＰＵ３６からの要求により、必要に応じて当該制御プログラムをバス４０を介してＣＰＵ３６に出力する。
【００４２】
更に、ＲＡＭ３７は、ＣＰＵ３６の制御のもと、後述の通信処理に伴うデータを一時的に記憶し、必要に応じてバス４０及びインターフェース部３８を介して多機能周辺装置１に出力する。
【００４３】
また、画像処理部３５は、ＣＰＵ３６の制御のもと、アイコン又はボタンと共に必要なデータを表示するために画像合成等の処理を行い、処理結果をディスプレイ３４に出力し、当該データ又はアイコン等を表示する。
【００４４】
マウス３２及びキーボード３１によりなる入力部は、上記表示されているデータを選択すると共にディスプレイ３４上に表示されているアイコン等を操作することにより必要な機能設定処理又は通信処理のためのデータ等をバス４０を介してＣＰＵ３６、ＲＡＭ３７等に入力する。
【００４５】
次に、インターフェース部３８は、バス４０を介してＣＰＵ３６の制御により出力されてくる送信データ等を多機能周辺装置１に出力すると共に、当該多機能周辺装置１から入力される受信データ等をバス４０に出力する。
【００４６】
更に、外部記憶部３３は、図示しないＨＤＤ（Hard  Disk  Drive）装置及びフレキシブルディスクドライブ装置３３Ａよりなり、このうちのＨＤＤ装置内のハードディスクには上記ＣＰＵ３６における通信処理のための後述のフローチャートで示される処理に対応する制御プログラムが予め記憶（インストール）されており、ＣＰＵ３６からの要求により、必要に応じて当該制御プログラムをバス４０を介してＲＡＭ３７に出力する。また、これと並行して、外部記憶部３３は、ＣＰＵ３６の制御のもと、必要に応じてデータ等を保存する。
【００４７】
最後に、バス４０は、上述のＣＰＵ３６、ＲＯＭ３９、ＲＡＭ３７、外部記憶部３３等の各構成要素間を接続してデータの伝送を行う。
【００４８】
なお、実施形態のパソコン３０は、多機能周辺装置１と接続することにより、多機能周辺装置１単体でも実行可能な留守番電話機能とは別に、パソコン３０を主体として留守番電話機として機能することができる。すなわち、パソコン３０内の例えばＨＤＤ装置に予め留守番電話としての応答メッセージを記憶させておき、多機能周辺装置１に外部から音声情報の着信があったときは、始めにパソコン３０から上記応答メッセージを多機能周辺装置１を介して送信し、これに対応して受信した通話者のメッセージを多機能周辺装置１を介してパソコン３０に取り込んで、ＲＡＭ３７に一時的に蓄積し、あるいははＨＤＤ装置上の所定のファイルに記憶しておくことができるのである。
【００４９】
次に、上記パソコン３０における、特に本発明に係るＣＰＵ３６及びＲＡＭ３７の細部構成について、図４を用いて説明する。なお、図４は、パソコン３０を用いて多機能周辺装置１を制御する際のパソコン３０内におけるデータの流れ及び動作を、夫々の動作を示す機能ブロック図として示したものであり、図４におけるスキャナアプリケーション部５０、プリンタアプリケーション部５４、リモートセットアップ部５８、ファクシミリアプリケーション部６２並びにリソースマネージャ６６については、実際には、外部記憶部３３内の特にハードディスクに記憶（インストール）されている上記スキャナアプリケーション部５０等の夫々に対応するアプリケーションプログラムに基づいてＣＰＵ３６内の演算処理部が動作することにより、上記夫々の機能が発揮されるものである。
【００５０】
なお、スキャナアプリケーション部５０およびプリンタアプリケーション部５１については、夫々専用のアプリケーションプログラムがあるものではなく、後述する各ドライバを起動可能なアプリケーションプログラムを総称するものであって、例えば、多機能周辺装置１のためにインストールされた専用のビューワーアプリケーションプログラム又はその他の一般的なワープロアプリケーションプログラム等からなる。
【００５１】
また、リモートセットアップ部５８およびファクシミリアプリケーション部６２は、多機能周辺装置１のためにインストールされた専用のアプリケーションプログラムであって、後述する各ドライバと一体的に機能するものであり、例えば、ファクシミリデータの送受信を管理するログマネージャアプリケーションプログラム又はリモートセットアッププログラム等からなる。
【００５２】
図４に示すように、多機能周辺装置１をパソコン３０から遠隔制御する場合に、当該パソコン３０は、多機能周辺装置１におけるＣＰＵ１０及びスキャナ部１４を用いて情報読取機能を発揮すべく当該ＣＰＵ１０及びスキャナ部１４を制御するスキャナ制御部ＳＣと、多機能周辺装置１におけるＣＰＵ１０及びプリンタ部１５を用いて情報記録機能を発揮すべく当該ＣＰＵ１０及びプリンタ部１５を制御するプリンタ制御部ＰＲと、多機能周辺装置１におけるＣＰＵ１０、スキャナ部１４、プリンタ部１５等の機能設定等を行って多機能周辺装置１単体での留守番電話機能、転送機能、スキャナ機能又はプリンタ機能等を発揮させるためのセットアップ制御部ＲＭと、多機能周辺装置１におけるＣＰＵ１０、ＮＣＵ１９等からなるファクシミリ機能部を用いて転送機能を含む上記ファクシミリ機能並びに上記パソコン３０における留守番電話機能を発揮すべく当該ＣＰＵ１０、ＮＣＵ１９等からなるファクシミリ機能部を制御する選択指定手段、制御手段及び消去手段としてのファクシミリ制御部ＦＸと、後述のリモートセットアップ部、各アプリケーション部と多機能周辺装置１との間の中継機能を有するリソースマネージャ６６と、受信バッファ６７と、リソースマネージャ用バッファ６８と、パラレルポートドライバ６９とにより構成されている。
【００５３】
また、上記スキャナ制御部ＳＣは、スキャナアプリケーション部５０と、スキャナドライバ５１と、スキャナ用受信バッファ５２と、スキャナ用送信バッファ５３とにより構成されている。
【００５４】
更に、上記プリンタ制御部ＰＲは、プリンタアプリケーション部５４と、プリンタドライバ５５と、プリンタドライバ用受信バッファ５６と、プリンタドライバ用送信バッファ５７とにより構成されている。
【００５５】
更にまた、上記セットアップ制御部ＲＭは、リモートセットアップ部５８と、リモートセットアップデータドライバ５９と、セットアップ用受信バッファ６０と、セットアップ用送信バッファ６１とにより構成されている。
【００５６】
また、上記ファクシミリ制御部ＦＸは、ファクシミリアプリケーション部６２と、ファクシミリドライバ６３と、ファクシミリ用受信バッファ６４と、ファクシミリ用送信バッファ６５とにより構成されている。
【００５７】
上記の構成において、各バッファは、実際にはＲＡＭ３７内に備えられている。
【００５８】
また、パラレルポートドライバ６９は、実際にはインターフェース部３８内に備えられているものである。
【００５９】
次に、各部の動作の概要について説明する。
【００６０】
先ず、上記スキャナ制御部ＳＣの動作について説明する。
【００６１】
当該スキャナ制御部ＳＣに含まれるスキャナ用受信バッファ５２は、多機能周辺装置１から受信したデータから後述のリソースマネージャ６６における受信管理処理により振り分けられたスキャナ用受信データＳsr（多機能周辺装置１のスキャナ部１４で読み取られた情報等を含む。）を一時的に記憶し、スキャナドライバ５１に出力する。このスキャナ用受信データＳsrには、リソースマネージャ６６により当該スキャナ用受信データＳsrであることを示す識別情報（ＩＤ情報フラグ）が付加されている。そして、スキャナドライバ５１はスキャナ用受信データＳsrに対して所定の処理を施してスキャナアプリケーション部５０に出力し、例えば、スキャナ部１４で読み取った情報を表示するためのいわゆるビューワーアプリケーションプログラム等が起動していなければこれを起動してディスプレイ３４上に表示させる処理、さらには、外部記憶部３３（例えばＨＤＤ装置）に格納する等の処理を実行可能とする。
【００６２】
一方、上記処理に先立って、スキャナアプリケーション部５０からスキャナ機能を実行する場合に出力されるスキャナ部１４を制御するためのデータは、スキャナドライバ５１からスキャナ用送信データＳstとして出力され、スキャナ用送信バッファ５３に一時的に保存される。そして、当該スキャナ用送信バッファ５３から読み出されたスキャナ用送信データＳstは、後述のリソースマネージャ６６における送信管理処理により後述のようにパケット化され、スキャナ用送信データＳstであることを示すＩＤ情報フラグが付加されてパラレルポートドライバ６９を介して多機能周辺装置１に送信され、スキャナ部１４の動作制御に用いられる。
【００６３】
このとき、上述のスキャナ制御部ＳＣの動作の前提として、後述のリモートセットアップ処理が実行される。
【００６４】
次に、上記プリンタ制御部ＰＲの動作について説明する。
【００６５】
当該プリンタ制御部ＰＲに含まれるプリンタドライバ用受信バッファ５６は、多機能周辺装置１から受信したデータから後述のリソースマネージャ６６における受信管理処理により振り分けられたプリンタ用受信データＳpr（多機能周辺装置１のプリンタ部１５における記録処理の状態等を示すデータを含む。）を一時的に記憶し、プリンタドライバ５５に出力する。このプリンタ用受信データＳprには、リソースマネージャ６６により当該プリンタ用受信データＳprであることを示すＩＤ情報フラグが付加されている。そして、プリンタドライバ５５はプリンタ用受信データＳprに基づいて、現在のプリンタ部１５における動作状況をディスプレイ３４上に表示し、さらには必要に応じてプリンタアプリケーション部５４に必要な通知等を行い、これを受けたプリンタアプリケーション部５４は、当該プリンタアプリケーションに対応する所定の処理を施す。
【００６６】
一方、プリンタアプリケーションに対応する所定の処理により生成されたプリンタ部１５において記録すべきデータ並びにプリンタ機能を実行するために必要なプリンタ部１５を制御するためのデータは、プリンタドライバ５５からプリンタ用送信データＳptとして出力され、プリンタ用送信バッファ５７に一時的に保存される。そして、当該プリンタ用送信バッファ５７から読み出されたプリンタ用送信データＳptは、後述のリソースマネージャ６６における送信管理処理により後述のようにパケット化され、プリンタ用送信データＳptであることを示すＩＤ情報フラグが付加されてパラレルポートドライバ６９を介して多機能周辺装置１に送信され、プリンタ部１５の動作が制御される。
【００６７】
このとき、上述のプリンタ制御部ＰＲの動作の前提として、後述のリモートセットアップ処理が実行される。
【００６８】
次に、上記ファクシミリ制御部ＦＸの動作について説明する。なお、本実施形態におけるファクシミリ制御部ＦＸは、電話回線２４を介して接続される他のファクシミリ装置又は電話機に対して、文書情報としてのファクシミリデータを送受信することが可能である他、音声情報を送受信することも可能であり、以下の説明では特に示さない限り「ファクシミリ」の概念に音声情報を含むものとする。
【００６９】
当該ファクシミリ制御部ＦＸに含まれるファクシミリ用受信バッファ６４は、多機能周辺装置１から受信したデータから後述のリソースマネージャ６６における受信管理処理により振り分けられたファクシミリ用受信データＳfr（多機能周辺装置１のＮＣＵ１９等により電話回線２４を介してファクシミリ受信した情報又は音声情報等を含む。）を一時的に記憶し、ファクシミリドライバ６３に出力する。このファクシミリ用受信データＳfrには、リソースマネージャ６６により当該ファクシミリ用受信データＳfrであることを示すＩＤ情報フラグが付加されている。そして、ファクシミリドライバ６３はファクシミリ用受信データＳfrに対して所定の処理を施してファクシミリアプリケーション部６２に出力し、例えば、ファクシミリ情報の送受信履歴を管理するログマネージャアプリケーションプログラム等に出力しファクシミリ用受信データＳfrを外部記憶部３３に格納させると共に、必要に応じてディスプレイ３４上に受信ログ等を表示させる。これらの処理と並行して、ファクシミリアプリケーション部６２は、ファクシミリ用受信データＳfrに含まれているファクシミリ情報又は音声情報の件数等を表示すると共に、ファクシミリ送受信における後述の通信処理における状態表示等を行う。
【００７０】
一方、ファクシミリアプリケーション部６２からファクシミリ機能（ファクシミリ情報の送受信）を実行する場合に出力されるファクシミリ送信すべきデータ及び制御データ等は、ファクシミリドライバ６３に入力され所定の処理が施されてファクシミリ用送信データＳftとなり、ファクシミリ用送信バッファ６５に一時的に保存される。そして、当該ファクシミリ用送信バッファ６５から読み出されたファクシミリ用送信データＳftは、後述のリソースマネージャ６６における送信管理処理により後述のようにパケット化され、ファクシミリ用送信データＳftであることを示すＩＤ情報フラグが付加されてパラレルポートドライバ６９を介して多機能周辺装置１に送信され、ＮＣＵ１９等からなる多機能周辺装置１のファクシミリ機能部を介してファクシミリ送信される。
【００７１】
このとき、上述のファクシミリ制御部ＦＸの動作の前提として、後述のリモートセットアップ処理が実行される。
【００７２】
なお、当該リモートセットアップ処理において上記転送機能のために送信情報をＲＡＭ１３に記憶させるべく送信情報記憶機能が動作するように設定されたときには、多機能周辺装置１は、当該送信情報をプリンタ部１５を用いて記録すると共にＲＡＭ１３に格納し、外部の他のファクシミリ装置から当該送信情報の転送を要求する要求信号が入力されたときには当該他のファクシミリ装置に対して送信情報の転送を行う。
【００７３】
更に、後述の通信処理におけるパソコン３０を主体とした留守番電話機能を実行するときは、ハードディスク等に記憶されていた応答メッセージ等がファクシミリアプリケーション部６２により多機能周辺装置１に出力されるとともに、相手先からのメッセージ（音声情報）がパソコン３０に取り込まれることとなる。
【００７４】
次に、セットアップ制御部ＲＭの動作について説明する。
【００７５】
上述のように、セットアップ制御部ＲＭは、スキャナ制御部ＳＣ、プリンタ制御部ＰＲ及びファクシミリ制御部ＦＸの動作に先立って、多機能周辺装置１における種々の機能設定をパソコン３０から遠隔的に行うためのものである。この動作において、当該セットアップ制御部ＲＭに含まれるセットアップ用受信バッファ６０は、多機能周辺装置１から受信したデータから後述のリソースマネージャ６６における受信管理処理により振り分けられたセットアップ用受信データＳrr（多機能周辺装置１の機能設定における設定完了情報等を含む。）を一時的に記憶し、リモートセットアップデータドライバ５９に出力する。このセットアップ用受信データＳrrには、リソースマネージャ６６により当該セットアップ用受信データＳrrであることを示すＩＤ情報フラグが付加されている。そして、リモートセットアップデータドライバ５９はセットアップ用受信データＳrrに基づいて、後に例示する多機能周辺装置１における機能設定のためのリモートセットアップ処理を行う。
【００７６】
一方、リモートセットアップ部５８から出力される、多機能周辺装置１における機能設定処理のためのデータは、リモートセットアップデータドライバ５９からセットアップ用送信データＳrtとして出力され、セットアップ用送信バッファ６１に一時的に保存される。そして、当該セットアップ用送信バッファ６１から読み出されたセットアップ用送信データＳrtは、後述のリソースマネージャ６６における送信管理処理により後述のようにパケット化され、セットアップ用送信データＳrtであることを示すＩＤ情報フラグが付加されてパラレルポートドライバ６９を介して多機能周辺装置１に送信され、機能設定が行われる。
【００７７】
次に、上記夫々の制御部が動作する際の上記リソースマネージャ６６、受信バッファ６７及びリソースマネージャ用バッファ６８の動作について説明する。
【００７８】
始めに、本実施形態におけるパソコン３０と多機能周辺装置１との間のデータの授受の態様について概説する。本実施形態においては、パソコン３０と多機能周辺装置１との間でデータの授受を行う際、当該データは、スキャナ部１４用データ（スキャナ制御部ＳＣ関連）、プリンタ部１５用データ（プリンタ制御部ＰＲ関連）、ＮＣＵ１９等からなるファクシミリ機能部用データ（ファクシミリ制御部ＦＸ関連）並びに機能設定用データ（セットアップ制御部ＲＭ関連）毎にパケット化され分離されている。すなわち、一のパケットの中には一種類のデータが含まれており、当該パケットの先頭には、夫々のパケットに含まれるデータのデータ量及び当該データの種類を示すＩＤ情報フラグ（スキャナ制御部ＳＣ関連のデータ、プリンタ制御部ＰＲ関連のデータ、ファクシミリ制御部ＦＸ関連のデータ又はセットアップ制御部ＲＭ関連のデータのうち、いずれのデータであるかを示すＩＤ情報フラグ）を記述したヘッダが付加されている。
【００７９】
次に、リソースマネージャ６６における受信管理処理について説明する。
【００８０】
リソースマネージャ６６は、多機能周辺装置１からのデータを受信する際には、当該パケット化されているデータに対応して、パラレルポートドライバ６９を介して受信され受信バッファ６７に一時的に記憶されている受信データＳr におけるパケット毎のヘッダの内容を識別し、当該記憶されている受信データＳr を上記スキャナ制御部ＳＣに関連するスキャナ用受信データＳsr、プリンタ制御部ＰＲに関連するプリンタ用受信データＳpr、ファクシミリ制御部ＦＸに関連するファクシミリ用受信データＳfr及びセットアップ制御部ＲＭに関連するセットアップ用受信データＳrrに分割し、これらを時系列的に分離して出力する。この受信管理処理の際、リソースマネージャ６６は受信バッファ６７との間で管理メッセージＳmrの授受を行い上記受信管理処理を行う。
【００８１】
一方、リソースマネージャ６６における送信管理処理においては、上記各制御部から送信されてくるスキャナ用送信データＳst、プリンタ用送信データＳpt、ファクシミリ用送信データＳft及びセットアップ用送信データＳrtを、夫々に所定のデータ量毎に分割してパケット化し、当該リソースマネージャ６６から夫々のデータのＩＤ情報フラグを管理メッセージＳmtとして出力することにより当該ＩＤ情報フラグをパケット毎にそのヘッダに記述し、夫々のパケットを時系列的に並べて送信データＳt としてパラレルポートドライバ６９に出力する。なお、この他にリソースマネージャ６６は、必要に応じてセットアップ制御部ＲＭからの後述の要求信号Ｓq を多機能周辺装置１に出力する。
【００８２】
上記のリソースマネージャ６６の動作において、リソースマネージャ用バッファ６８は、上記受信管理処理時にリソースマネージャ６６において必要なデータを一時的に格納し、所定のタイミングでリソースマネージャ６６に出力する。
【００８３】
また、パラレルポートドライバ６９は、上記受信データＳr を多機能周辺装置１から受信して受信バッファ６７に出力すると共に、上記送信データＳt を多機能周辺装置１に出力する。
【００８４】
上述のように、リソースマネージャ６６においてパケット化されたデータに対して送信管理処理及び受信管理処理を行うことにより、例えば、ファクシミリ機能部とスキャナ部１４又はプリンタ部１５とを同時に（実際には時分割的に）動作させることができ、従って、多機能周辺装置１において、例えば、ファクシミリ受信したデータをパソコン３０に取り込みつつパソコン３０から出力したデータをプリントアウトするという同時動作が可能となるのである。（IV）パソコンにおける制御処理の実施形態
次に、上記構成を有するパソコン３０における多機能周辺装置１の制御処理の全体動作について、図５乃至図８を用いて説明する。
【００８５】
図５にそのフローチャートを示すように、パソコン３０における多機能周辺装置１の制御処理は、当該パソコン３０に多機能周辺装置１が接続されると、始めに、上記リソースマネージャ６６が起動される（ステップＳ１）。このリソースマネージャ６６は、パソコン３０を制御するための基本プログラムであるＯＳ（オペレーティングシステム）が立ち上ったときに自動的に起動される。なお、図４に示す各ドライバが起動されたときに、リソースマネージャ６６が動作していなければ各ドライバによっても起動される。
【００８６】
なお、リソースマネージャ６６の起動後は、当該リソースマネージャ６６を示すアイコンが当該リソースマネージャ６６が現在起動しているものとしてディスプレイ３４に表示され、当該リソースマネージャ６６の動作を停止したいときには、当該アイコンをクリック処理することにより動作停止（クローズ）させることができる。
【００８７】
リソースマネージャ６６が起動されると（ステップＳ１）、その起動がインストール直後の起動であるときには、次に、リモートセットアップ部５８を含むセットアップ制御部ＲＭが起動され（ステップＳ２）、当該セットアップ制御部ＲＭにより多機能周辺装置１において情報処理を実行するための当該多機能周辺装置１の機能設定（上記リモートセットアップ処理）が実行される（ステップＳ３）。なお、この機能設定は、インストールした以降の任意のタイミングにおいても、使用者がリモートセットアッププログラムを起動することにより適宜実行可能である。
【００８８】
この機能設定においては、始めに、多機能周辺装置１において設定可能な機能（スキャナ部１４の解像度、ファクシミリ機能部における通信速度等）をパソコン３０に送信させるべく要求信号Ｓq がセットアップ制御部ＲＭから多機能周辺装置１に出力され、当該要求信号Ｓq に対応して多機能周辺装置１から送信されてきたデータに基づいて後述の機能設定のための設定画面（図６乃至図８参照）が生成され、当該設定画面を用いて機能設定を行うこととなる。
【００８９】
そして、機能設定が終了すると（ステップＳ３）、所望の情報処理（例えば、パソコン３０において作成した文書をプリンタ部１５から記録出力したり、当該文書をファクシミリ機能部を用いて外部に送信したり、ファクシミリ機能部を用いて受信したデータを上記ビューワーアプリケーションプログラム等を用いてディスプレイ３４に表示して編集する等）を実行し（ステップＳ４）、必要に応じてユーザから処理の終了を指示されれば処理を終了することとなる。
【００９０】
なお、セットアップ制御部ＲＭ起動時（ステップＳ２）においては、リモートセットアップデータドライバ５９からリソースマネージャ６６に対して多機能周辺装置１との間でデータの授受を行うことを可能とするために、セットアップ用受信バッファ６０とセットアップ用送信バッファ６１をＲＡＭ３７上に確保するためのオープン指令を出力し、また、そのセットアップ動作を終了するときにおいては、リソースマネージャ６６に対して起動時に確保したＲＡＭ３７上のセットアップ用受信バッファ６０とセットアップ用送信バッファ６１を解放するためのクローズ指令を出力するようになっている。これは、セットアップ用受信バッファ６０とセットアップ用送信バッファ６１が不要のとき（リモートセットアップドライバ５９が動作していないとき）まで、あえてＲＡＭ３７上にメモリ領域を占有するのは好ましくないことによる。
【００９１】
そして、このオープン指令に対して、リソースマネージャ６６は多機能周辺装置１との間で通信を実施可能な状態であることを確認した場合には、直ちにセットアップ用受信バッファ６０とセットアップ用送信バッファ６１をＲＡＭ３７上に確保するとともに、その旨リモートセットアップデータドライバ５９に通知する。その後、リモートセットアップデータドライバ５９とリソースマネージャ６６とは、以下の手順を通して多機能周辺装置１との間でコマンドデータを始めとする各種データの授受が行なわれる。
【００９２】
すなわち、リモートセットアップデータドライバ５９から多機能周辺装置１に対して送信すべきデータがセットアップ用送信バッファ６１に格納された後に「送信データあり。」のセットアップ用メッセージＭr がリソースマネージャ６６に出力され、これを受けたリソースマネージャ６６が多機能周辺装置１に対してセットアップ用送信バッファ６１内の上記データを送信するとともに、多機能周辺装置１からデータを受信したときには、リソースマネージャ６６が当該受信データをセットアップ用受信バッファ６０に格納した後に「受信データあり。」のセットアップ用メッセージＭr をリモートセットアップデータドライバ５９に出力して上記受信データを取り込むように通知する。
【００９３】
ここで、リモートセットアップ処理用のセットアップ用受信バッファ６０とセットアップ用送信バッファ６１とセットアップ用メッセージＭrとを用いた上記処理は、ファクシミリ制御部ＦＸにおいてのみ、ファクシミリドライバ６３が常に動作状態にあり、且つファクシミリ用受信バッファ６４及びファクシミリ用送信バッファ６５が常時確保されている点を除いて、他の制御部においても同様に行われる。すなわち、スキャナ制御部ＳＣ、プリンタ制御部ＰＲ又はファクシミリ制御部ＦＸから多機能周辺装置１におけるスキャナ部１４、プリンタ部１５又はＮＣＵ１９等を含むファクシミリ機能部を制御して動作させる場合には、夫々の制御部内のドライバからスキャナ用データとスキャナ用メッセージＭs又はプリンタ用データとプリンタ用メッセージＭp或はファクシミリ用データとファクシミリ用メッセージＭfがリソースマネージャ６６に出力され、これを受けたリソースマネージャ６６が多機能周辺装置１に対して夫々の制御部に対応するパケットデータとして出力すると共に、多機能周辺装置１から各制御ＳＣ、ＰＲ及びＦＸに対応するデータを受信した場合には、リソースマネージャ６６が当該受信データと各メッセージＭs、Ｍp及びＭfを夫々対応するドライバに出力することによりデータの授受が行なわれる。なお、ファクシミリドライバ６３並びにファクシミリ用受信バッファ６４及びファクシミリ用送信バッファ６５が常に動作可能にあるのは、多機能周辺装置１がファクシミリ受信したデータを何時送ってくるかわからないので、常に待機するためである。
【００９４】
次に、ステップＳ３における機能設定においてディスプレイ３４に出力される設定画面について、図６乃至図８に例示しつつ説明する。
【００９５】
始めに、多機能周辺装置１における共通事項を設定するための設定画面について、図６（ａ）を用いて説明する。
【００９６】
図６（ａ）に示すように、共通事項を設定するための設定画面は、例えば、多機能周辺装置１の電話端末としての局名を設定するための局名設定欄７０と、多機能周辺装置１の電話端末としての電話番号を設定するための局電話番号設定欄７１と、多機能周辺装置１のファクシミリ端末としての電話番号を設定するための局ＦＡＸ番号設定欄７２と、多機能周辺装置１が接続されている電話回線２４における回線種類（トーン回線か又はプッシュ回線か）を設定するためのダイアルタイプ設定欄７３と、現在の日付及び時刻を設定登録するための日付設定欄７４と、多機能周辺装置１のプリンタ部１５で用いる用紙サイズを設定するための紙サイズ設定欄７５と、設定を終了するときに操作されるボタンである「ＯＫ」に対応する確定ボタン７６と、設定を取り消すときに操作されるボタンである「キャンセル」に対応する取消ボタン７７とにより構成されている。
【００９７】
次に、プリンタ部１５に対応する設定画面の例について、図６（ｂ）を用いて説明する。
【００９８】
図６（ｂ）に示すように、プリンタ部１５に対応する設定画面は、例えば、プリンタ部１５における記録モードを選択設定するためのモード設定欄８０と、最後の記録用紙への記録が終了してから、トナーを定着させるためのヒータを非使用状態（低温状態）に切り換えるまでの時間であるスリープタイムを設定するためのスリープタイム設定欄８１と、上記確定ボタン７６と同様の「ＯＫ」に対応する確定ボタン８３と、上記取消ボタン７７と同様の「キャンセル」に対応する取消ボタン８４とにより構成されている。
【００９９】
なお、上記スリープタイムを設定するのは、多機能周辺装置１が設置される国によっては、当該スリープタイムの最大値に制限を課している国（当該国に設置される多機能周辺装置１においては、通常スリープタイムの最大値が当該制限値となっている。）とそうでない国（当該国に設置される多機能周辺装置１においてはスリープタイムの最大値は設定されていない。）とがあり、これら双方の国における情報処理装置Ｓのリモートセットアップ処理を共通のセットアップ制御部ＲＭで行うためのものである。
【０１００】
次に、多機能周辺装置１を通常の電話機として使用する際の機能の設定画面である短縮ダイアル登録の設定画面の例について、図７（ａ）を用いて説明する。
【０１０１】
図７（ａ）に示すように、短縮ダイアル登録の設定画面は、いわゆる短縮ダイアルを登録するか又はワンタッチダイアルを登録するかを選択するためのダイアル選択欄９０と、短縮ダイアル番号毎に通話先名と電話番号を入力するための通話先入力欄９１と、上記確定ボタン７６と同様の「ＯＫ」に対応する確定ボタン９２と、上記取消ボタン７７と同様の「キャンセル」に対応する取消ボタン９３とにより構成されている。
【０１０２】
次に、多機能周辺装置１をファクシミリ装置として使用する際の機能の設定画面の例について、図７（ｂ）及び図８（ａ）を用いて説明する。
【０１０３】
図７（ｂ）に示すように、ファクシミリ機能のための設定画面は、例えば、送信情報記憶機能（すなわち、電話回線２４を介して送信されてきたファクシミリ情報（送信情報）をＲＡＭ１３に一時的に記憶し、必要に応じて他のファクシミリ装置に転送するための送信情報記憶機能）のオン／オフを設定するための送信情報記憶機能オン／オフ設定欄１００と、多機能周辺装置１単体で実行可能な留守番電話機能のオン／オフを切換設定するための留守番電話機能オン／オフ設定欄１０１と、上記確定ボタン７６と同様の「ＯＫ」に対応する確定ボタン１０２と、上記取消ボタン７７と同様の「キャンセル」に対応する取消ボタン１０３と、ファクシミリ機能のための他の設定画面を見るための次頁ボタン１０４とにより構成されている。
【０１０４】
また、図８（ａ）に示すように、ファクシミリ機能のための他の設定画面は、例えば、電話回線２４がダイアル回線かトーン回線かを設定するための回線種類設定欄１１０と、多機能周辺装置１におけるスピーカ２２をオン又はオフに設定するためのスピーカオン／オフ設定欄１１１と、多機能周辺装置１における送受信機能を使用されている電話回線２４における通信速度に合致するように設定するための回線速度設定欄１１２と、上記スピーカ２２の音量を設定するためのスピーカ音量設定欄１１３と、ファクシミリ情報の送受信の際に、ＮＣＵ１９においてトーン信号（ビジートーン信号（話中のときに電話回線から出力される“ツーツー”という断続音）又はダイアルトーン信号（通話前又は通話後に電話回線から出力される“ツー”という連続音））の検出を行うか否かを設定するためのトーン信号検出設定欄１１４と、上記確定ボタン７６と同様の「ＯＫ」に対応する確定ボタン１１５と、上記取消ボタン７７と同様の「キャンセル」に対応する取消ボタン１１６とにより構成されている。
【０１０５】
最後に、スキャナ部１４に対応する設定画面の例について、図８（ｂ）を用いて説明する。なお、この設定画面は、スキャナ機能を実行する際に、どのような条件でスキャナ読取を実行するかを選択するために表示されるものであり、スキャナドライバ５１の起動と共に表示される。
【０１０６】
図８（ｂ）に示すように、スキャナ部１４に対応する設定画面は、例えば、スキャナ部１４の読取能力を選択設定するための読取能力選択欄１２０と、選択した読取能力を確定するためのスキャナ機能実行用の確定ボタン１２１と、スキャナ部１４の解像度の選択枝が一度に読取能力選択欄１２０内に表示できない場合、次の画面を見るときにクリック処理される次頁ボタン１２２とにより構成されている。なお、図８（ｂ）に示す場合には、スキャナ部１４の読取能力が、１００×１００ｄｐｉ（dot per  inch）、１００×２００ｄｐｉ、２００×２００ｄｐｉ、２００×３００ｄｐｉ及び３００×３００ｄｐｉの４種類から選択できることとなる。
（Ｖ）パソコンにおけるファクシミリ送受信処理の実施形態
次に、特に本発明に係るパソコン３０におけるファクシミリ送受信処理の実施形態について、ディスプレイ３４上における表示制御処理を中心として図９乃至図１３を用いて説明する。
【０１０７】
なお、図９は、本実施形態における表示制御に関する処理のフローチャートであり、図１０乃至図１３は図９に示す処理に伴ってディスプレイ３４上に表示される表示画面の一例を示している。また、図９に示す表示制御処理は、主としてファクシミリ制御部ＦＸにおいて実行される処理である。
【０１０８】
図９に示すように、本実施形態におけるファクシミリ送受信処理における表示制御処理においては、多機能周辺装置１をパソコン３０側から制御するためのアプリケーシンプログラムを使用することがパソコン３０において選択される（ファクシミリ制御部ＦＸが起動される）と、始めに、ファクシミリ送受信処理のための基本画面がディスプレイ３４上に表示される（ステップＳ１）。この基本画面について図１０（ａ）を用いて説明すると、当該基本画面１３０には、一般に「メニューバー」と称される位置に、ファイル等の各種メニューを選択するための数種類の文字（これらの文字は、その文字の書かれた位置をマウスでクリック処理すると、その直下に、いわゆるプルダウンメニューが表示されるようになっており、ボタンとしての機能を持つものであるが、一般にボタンと称されることはない。しかしながら、ここでは理解を容易にするため図９乃至図１３においては便宜上ボタン形状で示す）が表示され、本実施形態においては、図１０（ａ）に示すように、当該アプリケーションに関するファイルをオープンしたり、当該アプリケーション自体をクローズできるようにするためのメニューを集めたファイルメニュー１３１と、当該アプリケーションが起動されている状態で現在表示している形態を切り換えるためのメニューを集めた後述の表示メニュー１３２と、他の機能に移行するためのメニューを集めたスタートメニュー１３３と、当該アプリケーションの諸々の設定を行なうためのメニューを集めたセットアップメニュー１３４と、使用者に対してより詳しい情報を与えるためのメニューを集めたヘルプメニュー１３５とが設けられている。なお、図面には明示していないが、これらの各メニュー１３１乃至１３５は、実際の画面上では、たとえば、「ファイル（Ｆ）」、「表示（Ｖ）」…というように表記され、括弧内の文字に対応するキーボード上のキー（Ｆキー、あるいはＶキー等）を押下することによっても各メニューをクリックした場合と同様のプルダウンメニューが表示されるようになっている。
【０１０９】
また、基本画面１３０に含まれているアイコンとしては、パソコン３０上で加工処理された文書等のファクシミリ送信すべき情報を多機能周辺装置１を介してファクシミリ送信するときにクリック処理されるファクシミリ送信アイコン１３６と、あらかじめ用意された定型の文書に伝言内容をメモ書き程度に書込んで（メモ書き）ファクシミリ送信するときにクリック処理されるメモファクシミリアイコン１３７と、上記ビューワーアプリケーションプログラムを起動するときにクリック処理されるビューワーアイコン１３８と、上記ログマネージャアプリケーションプログラムを起動するときにクリック処理されるログアイコン１３９と、電話帳機能（通話先と電話番号を登録しておき、必要に応じて表示するための機能）に対応するアプリケーションプログラムを起動するときにクリック処理される電話帳アイコン１４０と、パソコン３０において通話先の電話番号をダイアルすることによりパソコン３０から電話を掛けるときにクリック処理される電話アイコン１４１とが含まれている。
【０１１０】
ここで、上記各アイコンのうち、電話アイコン１４１をクリック処理したときには、図１０（ｂ）に示す電話画面１５０が基本画面１３０と共にディスプレイ３４上に表示される。この電話画面１５０は、通話先の電話番号を入力するときにクリック処理されるダイアルボタン１５１と、頻繁に電話を掛ける通話先を通話先別に予め登録しておき、対応する通話先に電話を掛けるときにクリック処理される短縮ダイアルボタン１５２と、最後に掛けた通話先に再度電話を掛けるときにクリック処理される再ダイアルボタン１５３とを含んでいる。
【０１１１】
ステップＳ１において、基本画面１３０が表示されている状態でファクシミリ情報の送受信における状態表示等を行うべく表示メニュー１３２がクリック処理されると（ステップＳ２：ＹＥＳ）、次に、ファクシミリ情報の送受信における状態表示等を切り換えるのための基本メニュー画面１５５がディスプレイ３４上にプルダウンメニューとして表示される（ステップＳ３）。
【０１１２】
ステップＳ３において表示される基本メニュー画面１５５について図１０（ｃ）を用いて説明すると、当該基本メニュー画面１５５は、図１０（ｃ）に示すように、ファクシミリ情報および音声情報の受信において、いまだその情報の内容が確認されていないファクシミリ情報の件数および音声情報の件数を表示することが可能な、後述のカウンタ画面が表示されることが希望される場合にクリック処理されるカウンタメニュー１５６と、上記電話アイコン１４１がクリック処理された場合に表示される電話画面１５０が常に表示されることが希望される場合にクリック処理される電話メニュー１５７と、ファクシミリ情報の送信及び受信における送信状態及び受信状態を表示することが可能な、後述の一般ステータス画面等が表示されることが希望される場合にクリック処理されるステータスメニュー１５８と、受信されているファクシミリ情報の件数および音声情報の件数を表示することが可能であって、カウンタメニュー１５６をクリック処理したときに表示される表示画面よりも小さい後述のミニカウンタ画面を用いて夫々の件数等が表示されることが希望される場合にクリック処理されるミニカウンタメニュー１５９と、受信されているファクシミリ情報の件数および音声情報の件数を表示することが可能であって、ミニカウンタメニュー１５９をクリック処理したときに表示される表示画面よりも更に小さい後述のマイクロカウンタ画面を用いて夫々の件数等が表示されることが希望される場合にクリック処理されるマイクロカウンタメニュー１６０と、上記基本画面１３０の表示のみが行われることを希望する場合にクリック処理される基本メニュー１６１とにより構成される。
【０１１３】
ステップＳ３において基本メニュー画面１５５が表示されると、次に、当該基本メニュー画面１５５上においてカウンタメニュー１５６がクリック処理されたか否かが判定される（ステップＳ４）。そして、カウンタメニュー１５６がクリック処理された場合には（ステップＳ４；ＹＥＳ）、受信されているファクシミリ情報の件数および音声情報の件数を表示するカウンタ画面１６５が上記基本画面１３０と共にディスプレイ３４上に表示される（ステップＳ５）。
【０１１４】
ステップＳ５において表示されるカウンタ画面１６５について図１１（ａ）を用いて説明すると、当該カウンタ画面１６５は、図１１（ａ）に示すように、通話先からの呼に応答して着信する状態としておくか、あるいは着信しない状態としておくかを選択するときにクリック処理される着信選択ボタン１６６と、ファクシミリ送受信に関する必要なメッセージ（例えば、「ファクシミリ情報が着信しています。」等のメッセージ）が表示されるメッセージ欄１６７と、多機能周辺装置１を介して受信し、パソコン３０内に記憶されている音声情報（通話先から送られてきた音声メッセージ）の件数を示す音声件数表示欄１６８と、多機能周辺装置１を介して受信し、パソコン３０内に記憶されているファクシミリ情報の件数を示すファクシミリ件数表示欄１６９と、外部記憶部３３（例えばハードディスク）に記憶されている応答メッセージを聴くときにクリック処理される音声ボタン１７０と、受信されているファクシミリ情報に関して、その受信履歴（受信日時、送信元等を示す情報を含む。）を表示させるためのログマネージャアプリケーションプログラムを起動するときにクリック処理されるログボタン１７１（ログアイコン１３９と同じ機能を有する）と、カウンタ画面１６５を縮小して上記ミニカウンタ画面を表示するときにクリック処理される選択手段としての縮小ボタン１７２と、送受信状態を文字で簡略的に表示する（例えば、「ＦＡＸ送信中」、「ＦＡＸ受信中」等）ためのステータス表示欄１７３とにより構成されている。
【０１１５】
上記カウンタ画面１６５において、着信選択ボタン１６６をオンに設定しておくと、多機能周辺装置１から着呼があった旨の通知があった場合に、例えば応答メッセージがパソコン３０から送信されて留守番電話機能の処理が開始される処理が実行されるか又はファクシミリデータの受信処理が開始されるが、着信選択ボタン１６６をオフに設定しておくと着呼があってもパソコン３０側では何等応答処理を実施しないこととなる。この場合には、多機能周辺装置１において呼出音が鳴動し続け、これにより、使用者が受話器１８を取って通話先と通話することとなる。この着信選択ボタン１６６は通常はオンに設定されている。
【０１１６】
また、上記音声件数表示欄１６８又はファクシミリ件数表示欄１６９は、パソコン３０において受信し、未だ使用者が見ていない或は聴いていない情報の件数を表示する。なお、音声件数表示欄１６８及びファクシミリ件数表示欄１６９は、夫々がボタンとなっており、音声件数表示欄１６８をクリック処理すると記憶されている件数分の音声情報が図示しないパソコン３０のスピーカから出力される。また、ファクシミリ件数表示欄１６９をクリック処理すると、ビューワーアプリケーションプログラムが起動され、記憶されている件数分のファクシミリ情報が記憶されている順にディスプレイ３４上に表示される。更に、当該表示されているファクシミリ情報を編集することも可能となる。
【０１１７】
ステップＳ５において、カウンタ画面１６５が表示されると、次に、当該カウンタ画面１６５上において縮小ボタン１７２がクリック処理されたか否かが判定され（ステップＳ６）、縮小ボタン１７２がクリック処理されないときは（ステップＳ６；ＮＯ）カウンタ画面１６５がそのまま表示される。
【０１１８】
なお、図９に示すフローチャートには明示していないが、例えば、上記カウンタ画面１６５において電話アイコン１４１がクリック処理されたときには、図１２に示すように上記電話画面１５０とカウンタ画面１６５とを合成した画面が表示され、当該電話画面１５０を用いて所望の通話先に電話を掛けることができることとなる。
【０１１９】
一方、ステップＳ６における判定において、縮小ボタン１７２がクリック処理されたときは（ステップＳ６；ＹＥＳ）、カウンタ画面１６５に代えてミニカウンタ画面１７５がディスプレイ３４上に表示される（ステップＳ８）。このミニカウンタ画面１７５について、図１１（ｂ）を用いて説明すると、当該ミニカウンタ画面１７５は、ディスプレイ３４上のカウンタ画面１６５よりも小さい表示領域内に表示されるものであり、図１１（ｂ）に示すように、上述の着信選択ボタン１６６、メッセージ欄１６７、音声件数表示欄１６８、ファクシミリ件数表示欄１６９、ログボタン１７１、縮小ボタン１７２、ステータス表示欄１７３の他に、電話を掛けるときに図１０（ｂ）に示す電話画面１５０を表示するための電話ボタン１７６（電話アイコン１４１と同じ機能を有する）と、当該ミニカウンタ画面１７５から元のカウンタ画面１６５に移行表示させたいときにクリック処理される選択手段としての拡大ボタン１７７とにより構成されている。なお、ミニカウンタ画面１７５が表示されているときは、基本画面１３０は表示されない。更に、ミニカウンタ画面１７５を構成する一部のボタンは、対応するカウンタ画面１６５のボタンよりも小型化されており、全体としてミニカウンタ画面１７５の表示に要するディスプレイ３４上の表示領域はカウンタ画面１６５を表示するために要する表示領域よりも小さい領域となっている。ディスプレイ３４上において、このミニカウンタ画面１７５を表示するための表示領域以外の表示領域は空き領域となっており、当該空き領域は、並行処理中の他のアプリケーションプログラム（例えば、パソコン３０において文書作成をするためのワードプロセッサアプリケーションプログラム）等のための表示領域に充てることが可能となる。このため、上記ミニカウンタ画面１７５は、通常ディスプレイ３４の表示領域上の端部に表示されることが多い。また、上記ミニカウンタ画面１７５は、主としてファクシミリ制御部ＦＸがファクシミリ情報の受信待機中のみである場合に利用されることが多い。
【０１２０】
このミニカウンタ画面１７５を表示しておくことで、ファクシミリ情報の着信の状況のうち、必要事項のみを把握しつつ上記ワードプロセッサアプリケーションプログラム等の他のプログラムを実行することができる。
【０１２１】
なお、ミニカウンタ画面１７５は、基本メニュー画面１５５がディスプレイ３４上に表示された状態でミニカウンタメニュー１５９がクリック処理された場合にも表示される（ステップＳ７；ＹＥＳ）。
【０１２２】
ステップＳ８においてミニカウンタ画面１７５が表示されている状態で、当該ミニカウンタ画面１７５上において縮小ボタン１７２がクリック処理されたか否かが判定され（ステップＳ９）、縮小ボタン１７２がクリック処理されないときは（ステップＳ９；ＮＯ）、次に、拡大ボタン１７７がクリック処理されたか否かが判定され（ステップＳ１０）、拡大ボタン１７７がクリック処理されたときは（ステップＳ１０；ＹＥＳ）、元のカウンタ画面１６５を表示するためにステップＳ５へ移る。
【０１２３】
一方、ステップＳ１０における判定において、拡大ボタン１７７がクリック処理されないときは（ステップＳ９；ＮＯ）、ミニカウンタ画面１７５がそのまま表示される。
【０１２４】
また、ステップＳ９における判定において、縮小ボタン１７２がクリック処理されたときは（ステップＳ９；ＹＥＳ）、ミニカウンタ画面１５に代えてマイクロカウンタ画面１８０がをディスプレイ３４上に表示される（ステップＳ１２）。このマイクロカウンタ画面について、図１１（ｃ）を用いて説明すると、当該マイクロカウンタ画面１８０は、ディスプレイ３４上のミニカウンタ画面１７５よりもさらに小さい表示領域内に表示されるものであり、図１１（ｃ）に示すように、上述の着信選択ボタン１６６、メッセージ欄１６７、音声件数表示欄１６８、ファクシミリ件数表示欄１６９及び拡大ボタン１７７とにより構成されている。なお、マイクロカウンタ画面１８０が表示されているときは、基本画面１３０は表示されない。更に、マイクロカウンタ画面１８０、メッセージ欄１６７は、対応するミニカウンタ画面１７５のメッセージ欄よりも更に小型化されており、全体としてマイクロカウンタ画面１８０の表示に要するディスプレイ３４上の表示領域はミニカウンタ画面１７５を表示するために要する表示領域よりも更に小さい領域となっている。ディスプレイ３４上において、このマイクロカウンタ画面１８０を表示するための表示領域以外の表示領域は空き領域となっており、当該空き領域は、ミニカウンタ画面１７５の場合と同様に、例えばワードプロセッサアプリケーションプログラムのための表示領域に充てることが可能となる。
【０１２５】
このため、上記マイクロカウンタ画面１８０は、通常ディスプレイ３４の表示領域上の端部に表示されることが多い。また、上記マイクロカウンタ画面１８０は、ミニカウンタ画面１７５と同様に、主としてファクシミリ制御部ＦＸがファクシミリ情報の受信待機中のみである場合に利用されることが多い。
【０１２６】
このマイクロカウンタ画面１８０を表示しておくことで、ファクシミリ情報の着信の状況のうち、必要最小限の事項のみを把握しつつ上記ワードプロセッサアプリケーションプログラム等の他のプログラムをより広い表示領域を用いて実行することができる。なお、マイクロカウンタ画面１８０は、基本メニュー画面１５５がディスプレイ３４上に表示された状態でマイクロカウンタメニュー１６０がクリック処理された場合にも表示される（ステップＳ１１；ＹＥＳ）。
【０１２７】
ステップＳ１２においてマイクロカウンタ画面１８０が表示されている状態で、当該マイクロカウンタ画面１８０上において拡大ボタン１７７がクリック処理されたか否かが判定され（ステップＳ１３）クリック処理されないときは（ステップＳ１３；ＮＯ）、マイクロカウンタ画面１８０がそのまま表示される。
【０１２８】
また、拡大ボタン１７７がクリック処理されたときは（ステップＳ１３；ＹＥＳ）、ミニカウンタ画面１７５を表示するためにステップＳ８へ移る。
【０１２９】
一方、ステップＳ３において、基本メニュー画面１５５がディスプレイ３４上に表示されている状態でカウンタメニュー１５６、ミニカウンタメニュー１５９又はマイクロカウンタニュー１６０がいずれもクリック処理されていない場合には（ステップＳ４、Ｓ７、Ｓ１１；いずれもＮＯ）、次に、基本メニュー画面１５５上のステータスメニュー１５８がクリック処理されたか否かが判定され（ステップＳ１４）、クリック処理されていないときは（ステップＳ１４；ＮＯ）、次に基本メニュー画面１５５上の電話メニュー１５７がクリック処理されたか否かが判定される（ステップＳ２２）。
【０１３０】
また、ステップＳ１４における判定において、ステータスメニュー１５８がクリック処理されたときは（ステップＳ１４；ＹＥＳ）、次に、ファクシミリ情報の送受信に関する一般的な情報を示す一般ステータス画面１８２が基本画面１３０と共に表示される（ステップＳ１５）。この一般ステータス画面１８２について、図１３（ａ）を用いて説明すると、当該一般ステータス画面１８２は、パソコン３０において最後に受信したファクシミリ情報に関する情報（送信元、受信結果の可否等）を表示する最終受信情報欄１８５と、現在の日付及び時刻等を表示する日付欄１８６と、パソコン３０から最後に送信したファクシミリ情報に関する情報（送信先、送信結果の可否等）を表示する最終送信情報欄１８７と、ファクシミリ受信に関する現在の状態（まだ見ていないファクシミリ情報があるか否か並びにその受信件数等）を表示するステータス表示欄１８８とにより構成される。この一般ステータス画面１８２は、ファクシミリ情報の送受信を実際に行っているとき以外に表示されるステータス画面である。
【０１３１】
次に、一般ステータス画面１８２を表示中（ステップＳ１５）にパソコン３０からのファクシミリ情報の送信が開始されたか否かが判定され（ステップＳ１６）、送信が開始されると（ステップＳ１６；ＹＥＳ）、一般ステータス画面１８２に代えて、送信ステータス画面１８３が基本画面１３０と共に表示される（ステップＳ１７）。この送信ステータス画面１８３について、図１３（ｂ）を用いて説明すると、当該送信ステータス画面１８３は、実際に送信中の経過状態を示す送信ステータス表示欄１８９とにより構成されている。この送信ステータス表示欄１８９には、具体的には、送信先電話番号、送信先名、送信経過時間、ファクシミリ送信に関する現在の状態すなわち、送信すべきファクシミリ情報のうち、どの程度のファクシミリ情報の送信が完了したか（例えば、送信すべきファクシミリ情報のうち、全体の何パーセントのファクシミリ情報の送信が完了したか）等を棒グラフで示すいわゆるプログレスバー等が含まれている。また、当該送信ステータス表示欄１８９内には、送信中のファクシミリ情報の送信を停止するときにクリック処理される取消ボタン１８９Ａも表示されている。
【０１３２】
ステップＳ１７において、送信ステータス画面１８３が表示されている状態で、当該ファクシミリ送信が終了したか否かが判定され（ステップＳ１８）終了していないときは（ステップＳ１８；ＮＯ）そのまま送信が終了するまで送信ステータス画面１８３を表示し続けるためステップＳ１７に戻る。そして、送信が終了すると（ステップＳ１８；ＹＥＳ）、自動的にステップＳ１５に移り、上記一般ステータス画面１８２に切り替わる。
【０１３３】
次に、ステップＳ１６の判定において、ファクシミリ情報の送信が開始されていないときは（ステップＳ１６；ＮＯ）、次に、パソコン３０に多機能周辺装置１を介してファクシミリ情報が着信したか否かが判定され（ステップＳ１９）、着信したときは（ステップＳ１９；ＹＥＳ）、一般ステータス画面１８２に代えて、受信ステータス画面１８４が基本画面１３０と共に表示される（ステップＳ２０）。この受信ステータス画面１８４について、図１３（ｃ）を用いて説明すると、当該受信ステータス画面１８４は、実際に受信中の状態を示す受信ステータス表示欄１９０により構成されている。この受信ステータス表示欄１９０には、具体的には、送信元電話番号、送信元名、受信経過時間並びにファクシミリ送受信に関する現在の状態（現在までに何頁受信しているか）等が含まれている。
【０１３４】
ステップＳ２０において、受信ステータス画面１８４が表示されている状態で、当該ファクシミリ受信が終了したか否かが判定され（ステップＳ２１）終了していないときは（ステップＳ２１；ＮＯ）そのまま受信が終了するまで受信ステータス画面１８４を表示し続けるためステップＳ２０に戻る。そして、受信が終了すると（ステップＳ２１；ＹＥＳ）、自動的にステップＳ１５に移り、上記一般ステータス画面１８２に切り替わる。
【０１３５】
なお、上記一般ステータス画面１８２が表示されている状態で、電話アイコン１４１がクリック処理されたときには、それまで表示されていた一般ステータス画面１８２に代えて、図１０（ｂ）に示す基本画面１３０と電話画面１５０とを合成した画面が表示され、当該電話画面１５０を用いて所望の通話先に電話を掛けることができる。そして、その電話処理が終了すると電話画面１５０に代えて、再び一般ステータス画面１８２が表示されることとなる。なお、送信あるいは受信ステータス画面１８３、１８４が表示されている状態では、電話回線２４が使用中であるので、電話を掛けることができない。従って、この場合には、電話アイコン１４のクリック処理を無視して電話画面１５０を表示しないようにしてもよいし、あるいは、電話画面１５０を一旦表示してから、実際に電話処理が開始された時点で、まだ電話回線が使用中であるときは、その旨の「エラー表示」を行うようにしてもよい。
【０１３６】
一方、ステップＳ３において、基本メニュー画面１５５がディスプレイ３４上に表示された状態で、電話メニュー１５７がクリック処理された場合には（ステップＳ２２；ＹＥＳ）、電話アイコン１４１がクリック処理されたときに表示される図１０（ｂ）に示す電話画面１５０が基本画面１３０と共にディスプレイ３４上に常に表示される状態となる。すなわち、電話アイコン１４１のクリック処理により電話画面１５０を表示した場合には、その電話処理の終了とともに電話画面１５０が消去され、電話アイコン１４１がクリック処理される直前の状態に戻るが、電話メニュー１５７のクリック処理により電話画面１５０が選択的に表示されるように設定したときには、電話処理が終了しても電話画面１５０はそのままディスプレイ３４上に残存する。
【０１３７】
また、ステップ３において、基本メニュー画面１５５がディスプレイ３４上に表示された状態で、基本メニュー１６１がクリック処理された場合には（ステップＳ２２；ＮＯ）、ステップＳ１に移行して図１０（ａ）に示す基本画面１３０のみがディスプレイ３４上に表示されることとなる。ここで、基本画面１３０のみの表示が行なわれているときは、この基本画面１３０を表示するための表示領域以外の表示領域は空き領域となっており、当該空き領域は、上述の各カウンタ画面の場合と同様に、並行処理中の他のアプリケーションプログム（例えば、ワードプロセッサアプリケーションプログラム）等のための表示領域に充てることが可能となる。このため、上記基本画面１３０は、通常ディスプレイ３４の表示領域状の上端部に表示されることが多い。
【０１３８】
なお、図９に示すフローチャートには明示していないが、ディスプレイ３４上にカウンタ画面１６５（ミニカウンタ画面１７５とマイクロカウンタ画面１８０を除く）、あるいは電話画面、さらにはステータス画面が表示されている状態で、表示メニュー１３２がクリック処理された場合においても、基本メニュー画面１５５がプルダウンメニューとして表示される。従って、使用者は、希望に応じて何時でも表示形態を切り換えることができる。
【０１３９】
また、基本メニュー画面１５５がプルダウンメニューとして表示されたメニュー選択状態で、カウンタメニュー１５６と電話メニュー１５７とは、使用者の希望により同時に選択することも可能となっており、これによって、図１２に示すように、カウンタ画面１６５と電話画面１５０とを基本画面１３０に合成した画面がディスプレイ３４上に常に表示されることとなる。従って、多機能周辺装置１に関連したアプリケーションプログラムを頻繁に利用する使用者であって、他のワープロアプリケーションプログラム等を同時並行的に起動させることの少ない使用者としては、ディスプレイ３４上の画面領域をフルに利用して効率的に多機能周辺装置１を活用できる。
【０１４０】
以上説明したように、実施形態の表示制御処理によれば、ファクシミリ情報の受信待機処理のみを行っている場合には、予め設定された大きさの異なるミニアウンタ画面１７５又はマイクロカウンタ画面１８０のうち、ディスプレイ３４に表示すべき一つの大きさの画面であって、必要な表示内容を夫々に含む画面を選択指定し、これを表示することができるので、ファクシミリ情報の受信と多機能周辺装置１を使用しない他の情報処理に対応する表示画面をディスプレイ３４上に同時に表示しつつ夫々の情報処理を実行する際に、ファクシミリ情報の受信に対応する表示画面については、より小さなミニカウンタ画面１７５又はマイクロカウンタ画面１８０を選択指定して表示しつつ当該ファクシミリ情報の受信を実行することができるので、ファクシミリ情報の受信に必要な表示画面を表示しつつ他の情報処理に対応する表示画面をより広い表示領域に表示させて当該他の情報処理を実行できる。
【０１４１】
また、当該ファクシミリ情報の受信の実行中において、受信待機を行う際にはミニカウンタ画面１７５又はマイクロカウンタ画面１８０を選択指定して受信待機することができ、ファクシミリ情報の受信以外の他の情報処理に対応する表示画面をより広い表示領域に表示させつつ当該他の情報処理を実行できる。
【０１４２】
更に、ミニカウンタ画面１７５又はマイクロカウンタ画面１８０のうち、一の画面中には、一の画面を他の画面に切り換える場合に操作される拡大ボタン１７７及び縮小ボタン１７２が含まれているので、一の画面から他の画面に切り換えてミニカウンタ画面１７５又はマイクロカウンタ画面１８０或はカウンタ画面１６５を表示しつつワードプロセッサアプリケーションプログラム等の他の情報処理を実行することができる。
【０１４３】
更にまた、必要に応じて基本画面１３０のみの表示とすることもできるので、ファクシミリ情報の送受信以外の他の情報処理に対応する表示画面をより広い表示領域に表示させつつ当該他の情報処理を実行できる。
【０１４４】
なお、上記実施形態を行うためのアプリケーションプログラムは、フレキシブルディスク４１又はＣＤ−ＲＯＭ（Compact Disk-Read  Only  Memory）等の記録媒体に記録させておくことができるので、パソコン３０に限らず、アプリケーションプログラムが実行可能なコンピュータであれば、いずれのコンピュータを用いても本発明を適用することができる。
【０１４５】
更にまた、上記実施形態はスキャナ部１４、プリンタ部１５又はＮＣＵ１９等からなるファクシミリ機能部を一体に備えた多機能周辺装置１を対象とした実施形態であって、ファクシミリ機能部等の機能を周辺装置として一元的にパソコン３０から管理するようにした実施形態であるが、これに限らず、スキャナ装置やプリンタ装置単体の周辺装置を含んだ情報処理装置に対しても本発明を適用することができる。
【０１４６】
【発明の効果】
請求項１に記載の発明によれば、一の機能の情報処理において参照される複数の表示画面を選択的に表示するための表示メニューから消去項目が選択されると、表示手段に表示されている表示画面を消去し、基本画面のみが表示された状態に移行する。よって、表示メニューから項目が選択され、選択画面表示手段により表示されている表示画面を一括して消去することができるので、他の情報処理に対応する表示画面をより広い表示領域に表示させつつ当該他の情報処理を実行できる。
【０１４７】
従って、表示メニューから選択され、表示された表示画面が不要のときは、その表示画面を消去できるので、他の情報処理についてより広い表示領域を確保して当該他の情報処理を制御できる。
【０１４８】
請求項２に記載の発明によれば、請求項１に記載の発明の効果に加えて、一の機能は、ファクシミリ機能であり、情報処理は、外部に対して情報を送信する情報処理であると共に、メニュー項目には、外部に対する情報の送信状態を示す表示画面を表示させるための項目を含むので、情報の送信状態を表示する表示画面が不要のときはこれを消去し、情報を送信する情報処理以外の情報処理について対応する表示画面をより広い表示領域に表示させつつ当該他の情報処理を実行できる。
【０１４９】
請求項３に記載の発明によれば、請求項１に記載の発明の効果に加えて、一の機能は、ファクシミリ機能であり、前記情報処理は、外部から送信されてくる情報を受信する情報処理であると共に、メニュー項目には、外部からの情報の受信状態を示す表示画面を表示させるための項目を含むので情報の受信状態を表示する表示画面が不要のときはこれを消去し、情報を受信する情報処理以外の情報処理について対応する表示画面をより広い表示領域に表示させつつ当該他の情報処理を実行できる。
【図面の簡単な説明】
【図１】  情報処理装置の全体構成を示す外観図である。
【図２】  多機能周辺装置の内部の概要構成を示すブロック図である。
【図３】  パソコンの内部の概要構成を示すブロック図である。
【図４】  パソコンの機能構成を示すブロック図である。
【図５】  多機能周辺装置の制御処理を示すフローチャートである。
【図６】  設定画面の例（Ｉ）を示す図であり、（ａ）は一般設定に対応する設定画面の一例を示す図であり、（ｂ）はプリンタ部の設定に対応する設定画面の一例を示す図である。
【図７】  設定画面の例（II）を示す図であり、（ａ）は短縮ダイアル登録に対応する設定画面の一例を示す図であり、（ｂ）はファクシミリ機能の設定に対応する設定画面の例（ｉ）を示す図である。
【図８】  設定画面の例（III ）を示す図であり、（ａ）はファクシミリ機能の設定に対応する設定画面の例（ii）を示す図であり、（ｂ）はスキャナ部の設定に対応する設定画面の一例を示す図である。
【図９】  パソコンにおける表示制御処理を示すフローチャートである。
【図１０】  基本画面及び電話画面等の一例を示す図であり、（ａ）は基本画面の一例を示す図であり、（ｂ）は電話画面の一例を示す図であり、（ｃ）は基本メニュー画面の一例を示す図である。
【図１１】  カウンタ画面等の一例を示す図であり、（ａ）はカウンタ画面の一例を示す図であり、（ｂ）はミニカウンタ画面の一例を示す図であり、（ｃ）はマイクロカウンタ画面の一例を示す図である。
【図１２】  カウンタ画面と電話画面の合成画面の一例を示す図である。
【図１３】  ファクシミリ情報の送受信状態を示す図であり、（ａ）は一般ステータス画面を示す図であり、（ｂ）は送信ステータス画面を示す図であり、（ｃ）は受信ステータス画面を示す図である。
【符号の説明】
１…多機能周辺装置
２…操作パネル
３…カセット装着部
４…原稿台
５…記録用紙カセット
６…本体
１０、３６…ＣＰＵ
１１、３９…ＲＯＭ
１２…ＥＥＰＲＯＭ
１３、３７…ＲＡＭ
１４…スキャナ部
１５…プリンタ部
１６、３８…インターフェース部
１７…接続ケーブル
１８…受話器
１９…ＮＣＵ
２０…モデム部
２１…アンプ
２２…スピーカ
２３、４０…バス
２４…電話回線
３０…パソコン
３１…キーボード
３２…マウス
３３…外部記憶部
３３Ａ…フレキシブルディスクドライブ装置
３４…ディスプレイ
３５…画像処理部
４１…フレキシブルディスク
５０…スキャナアプリケーション部
５１…スキャナドライバ
５２…スキャナ用受信バッファ
５３…スキャナ用送信バッファ
５４…プリンタアプリケーション部
５５…プリンタドライバ
５６…プリンタドライバ用受信バッファ
５７…プリンタドライバ用送信バッファ
５８…リモートセットアップ部
５９…リモートセットアップデータドライバ
６０…セットアップ用受信バッファ
６１…セットアップ用送信バッファ
６２…ファクシミリアプリケーション部
６３…ファクシミリドライバ
６４…ファクシミリ用受信バッファ
６５…ファクシミリ用送信バッファ
６６…リソースマネージャ
６７…受信バッファ
６８…リソースマネージャ用バッファ
６９…パラレルポートドライバ
７０…局名設定欄
７１…局電話番号設定欄
７２…局ＦＡＸ番号設定欄
７３…ダイアルタイプ設定欄
７４…日付設定欄
７５…紙サイズ設定欄
７６、８３、９２、１０２、１１５、１２１…確定ボタン
７７、８４、９３、１０３、１１６、１８９Ａ…取消ボタン
８０…モード設定欄
８１…スリープタイム設定欄
９０…ダイアル選択欄
９１…通話先入力欄
１００…送信情報記憶機能オン／オフ設定欄
１０１…留守番電話機能オン／オフ設定欄
１０４…次頁ボタン
１２０…読取能力選択欄
１２２…次頁ボタン
１３０…基本画面
１３１…ファイルボタン
１３２…表示ボタン
１３３…スタートボタン
１３４…セットアップボタン
１３５…ヘルプボタン
１３６…ファクシミリ送信アイコン
１３７…メモファクシミリアイコン
１３８…ビューワーアイコン
１３９…ログアイコン
１４０…電話帳アイコン
１４１…電話アイコン
１５０…電話画面
１５１…ダイアルボタン
１５２…短縮ダイアルボタン
１５３…再ダイアルボタン
１５５…基本メニュー画面
１５６…カウンタボタン
１５７、１７６…電話ボタン
１５８…ステータスボタン
１５９…ミニカウンタボタン
１６０…マイクロカウンタボタン
１６１…基本ボタン
１６５…カウンタ画面
１６６…着信選択ボタン
１６７…メッセージ欄
１６８…音声件数表示欄
１６９…ファクシミリ件数表示欄
１７０…音声ボタン
１７１…ログボタン
１７２…縮小ボタン
１７３…ステータス表示欄
１７５…ミニカウンタ画面
１７７…拡大ボタン
１８０…マイクロカウンタ画面
１８２…一般ステータス画面
１８３…送信ステータス画面
１８４…受信ステータス画面
１８５…最終受信情報欄
１８６…日付欄
１８７…最終送信情報欄
１８８…ステータス表示欄
１８９…送信ステータス表示欄
１９０…受信ステータス表示欄
Ｓ…情報処理装置
ＳＣ…スキャナ制御部
ＰＲ…プリンタ制御部
ＲＭ…セットアップ制御部
ＦＸ…ファクシミリ制御部
Ｓsr…スキャナ用受信データ
Ｓst…スキャナ用送信データ
Ｓpr…プリンタ用受信データ
Ｓpt…プリンタ用送信データ
Ｓrr…セットアップ用受信データ
Ｓrt…セットアップ用送信データ
Ｓfr…ファクシミリ用受信データ
Ｓft…ファクシミリ用送信データ
Ｓmr、Ｓmt…管理メッセージ
Ｓr…受信データ
Ｓt…送信データ
Ｓq…要求信号
Ｍs…スキャナ用メッセージ
Ｍp…プリンタ用メッセージ
Ｍr…セットアップ用メッセージ
Ｍf…ファクシミリ用メッセージ
【図１】
0003979224.tif 000002
【図２】
0003979224.tif 000003
【図３】
0003979224.tif 000004
【図４】
0003979224.tif 000005
【図５】
0003979224.tif 000006
【図６】
0003979224.tif 000007
【図７】
0003979224.tif 000008
【図８】
0003979224.tif 000009
【図９】
0003979224.tif 000010
【図１０】
0003979224.tif 000011
【図１１】
0003979224.tif 000012
【図１２】
0003979224.tif 000013
【図１３】
0003979224.tif 000014